(57)【特許請求の範囲】
【請求項１】
選別装置または選別装置を備えた籾摺機の排塵口に接続して、その排塵口から排風とともに排出される籾殻などを分離して収集する籾殻回収装置であって、排風を導入して旋回させながら籾殻などを分離するサイクロンを構成する円錐筒体と、この円錐筒体から籾殻などを揚上搬送するスクリューコンベアとを備えており、上記スクリューコンベアは、サイクロンを構成する円錐筒体内の下部からその軸心に沿って形成される無風空間を貫通させて設けたことを特徴とする籾殻回収装置。
【請求項２】
サイクロンを構成する円錐筒体内の無風空間を貫通させて設けるスクリューコンベアは、そのスクリューの回転軸心がサイクロンを構成する円錐筒体の軸心と一致していることを特徴とする請求項１記載の籾殻回収装置。
【請求項３】
スクリューコンベアは、そのスクリューの回転軸心を中心として円錐筒体に対する取付角が変更自在であることを特徴とする請求項１または２記載の籾殻回収装置。
【発明の詳細な説明】
【０００１】
【発明の属する技術分野】
本発明は、選別装置または選別装置を備えた籾摺機の排塵口に接続して、その排塵口から排風とともに排出される籾殻などを分離して収集する籾殻回収装置に関する。
【０００２】
【従来の技術】
籾摺機には、籾摺装置と選別装置を別々にしたもの、あるいは籾摺装置と選別装置を一体に構成したものがあるが、籾殻や粃などは、選別装置または選別装置を備えた籾摺機の排塵口から排風とともに排出されるので、籾摺り作業による周辺の環境悪化を避けるため、排出される籾殻などは収集袋によって回収することが望まれている。そして、従来からサイクロンにより排風中の籾殻などを分離して収集袋に収集する籾殻回収装置が提案されている（実開昭６３−２５１４７号公報参照）。
【０００３】
ところで、実開昭６３−２５１４７号公報に示すように、従来のサイクロンによる籾殻回収装置にあっては、サイクロンで分離した籾殻などをその下端部から水平に設けたスクリューコンベアで搬出して収集袋に回収する構成となっているので、スクリューコンベアは収集袋に籾殻などの収集高さを確保するうえから、必然的に収集袋の深さ分を超える高さを要するばかりでなく、スクリューコンベアに下端部を接続するサイクロンの設置位置はさらに高くならざるを得ないものである。
【０００４】
【発明が解決しようとする課題】
このため、サイクロンの排風導入位置が、選別装置または籾摺機の排風口から高くなり過ぎて、選別装置または籾摺機の排風口とサイクロンとの接続が容易でないばかりでなく、また両者間を必然的に曲管により接続するところから、その部分における排風の流通抵抗が大きくなってしまい、サイクロンに流入する排風の風力が減退して籾殻などの分離能力が低下することは避けられないのが実情である。また、スクリューコンベアがサイクロンの下端部から水平に張り出しているので、籾殻回収装置の設置に広い場所を要するのも問題である。
【０００５】
一方、本発明者は、サイクロンを構成する円錐筒体内における旋回風の態様を注意深く観察したところ、塵埃の分離に作用する旋回風は円錐筒体の内周面に沿って生ずるが、その軸心の回りは無風状態になり、サイクロンを構成する円錐筒体の軸心の回りの空間は、塵埃の分離においてはデッドスペース（無効空間）であることを知見するに至った。
【０００６】
そこで、本発明は、サイクロンを構成する円錐筒体内のデッドスペースを有効に活用すべく、スクリューコンベアを、サイクロンを構成する円錐筒体内の下部からその軸心に沿って形成される無風空間を貫通させて設けることにより、装置全体をサイクロンを中心にまとまったコンパクトな構成とすることができるうえ、スクリューコンベアがサイクロンを構成する円錐筒体の上端を貫通するところから、スクリューコンベアの排出側を収集袋に籾殻を収集するうえで十分な高さに確保することができ、加えてサイクロンの排風導入位置を選別装置または籾摺機の排風口の高さとつり合うようにしてその両者間の接続を容易にするとともに、その部分の流通抵抗を小さくしてサイクロンにおける籾殻などの分離能力を高く保持することができる籾殻回収装置を提供することを目的とする。
【０００７】
【課題を解決するための手段】
上記目的を達成するため、本発明は次のように構成した、すなわち、本発明の請求項１に係る籾殻回収装置は、選別装置または選別装置を備えた籾摺機の排塵口に接続して、その排塵口から排風とともに排出される籾殻などを分離して収集する籾殻回収装置であって、排風を導入して旋回させながら籾殻などを分離するサイクロンを構成する円錐筒体と、この円錐筒体から籾殻などを揚上搬送するスクリューコンベアとを備えており、上記スクリューコンベアは、サイクロンを構成する円錐筒体内の下部からその軸心に沿って形成される無風空間を貫通させて設けたことを特徴とするものである。
【０００８】
本発明の請求項２に係る籾殻回収装置は、請求項１の構成において、サイクロンを構成する円錐筒体内の無風空間を貫通させて設けるスクリューコンベアは、そのスクリューの回転軸心がサイクロンを構成する円錐筒体の軸心と一致していることを特徴とするものである。
【０００９】
本発明の請求項３に係る籾殻回収装置は、請求項１または２の構成において、スクリューコンベアは、そのスクリューの回転軸心を中心として円錐筒体に対する取付角が変更自在であることを特徴とするものである。
【００１０】
なお、本発明において、籾殻および籾殻などとは、籾殻のほか、粃、藁屑その他の塵埃であって、選別装置または選別装置を備えた籾摺機の排風口から排風にともなって排出されるものを指称する。また、本発明において、サイクロンを構成する円錐筒体内の下部からその軸心に沿って形成される無風空間とは、必ずしも完全な無風状態ではなく、塵埃の分離に有効に作用しない程度の通風状態をも指すものとする。
【００１１】
【発明の実施の形態】
図１は本発明に係る籾殻回収装置の一実施の形態を示す全体の縦断面図、図２は一部の水平断面図、図３は全体の斜視図、図４は籾殻収集態様を示す一部の縦断面図、図５は本発明に係る籾殻回収装置の使用態様を示す縦断面図である。
【００１２】
１は籾殻回収装置である。この籾殻回収装置１は、サイクロン２とスクリューコンベア３を備えて構成されており、サイクロン２は円錐筒体４とその上端側に接続された円筒状の旋回部５とで構成されている。そして、旋回部５には、接線方向に導入する排風を導入する排風送込口６が接続されており、旋回部５の閉じた上端面には筒状の排風口７が設けられている。
【００１３】
サイクロン２を構成する円錐筒体２内には、その下部からその軸心に沿って形成される無風空間を貫通させてスクリューコンベア３が設けられており、図示の実施の形態においては、スクリューコンベア３のスクリュー８の回転軸心がサイクロン２を構成する円錐筒体４の軸心と一致している。スクリューコンベア３は、その下端側がサイクロン２を構成する円錐筒体４の下端部で開口していて、スクリュー８の下端部が露出している。スクリューコンベア３の上端側は籾殻排出口９となっており、籾殻排出口９には下方に傾斜する籾殻排出樋１０が接続されている。この籾殻排出樋１０の傾斜下端側は２つに分岐された排出口１１，１１をなしていて、２つの排出口１１，１１には収集袋１２を同時に装着できるようになっている。１３は袋止めである。２つに分岐された排出口１１，１１はシャッタ１４により交互に切替開口するようになっている。１５は電動機であってスクリューコンベア３のスクリュー８を駆動するためのものである。なお、図示の実施の形態においては、電動機１５をスクリュー８の上端側で連動させているが、これをスクリュー８の下端側に連動する構成としてもよい。
【００１４】
本発明に係る籾殻回収装置１は、サイクロン２を構成する円錐筒体４内の下部からその軸心に沿って形成される無風空間を貫通させてスクリューコンベア３を垂直状に設けており、その上端側に籾殻排出口９を設けているが、サイクロン２を構成する円錐筒体４内において軸心の回りは籾殻の分離上のデッドスペースとなるので、スクリューコンベア３はサイクロン２を構成する円錐筒体４内のデッドスペースを有効に活用して配置したことになり、装置全体をサイクロン２を中心にまとまったコンパクトな構成とすることができる。
【００１５】
そして、サイクロン２を構成する円錐筒体４は、その下端側を籾殻回収装置１の設置面１６に近接するように低く配置することができる。このため、装置全体がコンパクトであっても、また、さらにスクリューコンベア３の傾斜上端側に下方に傾斜する籾殻排出樋１０を接続しても、収集袋に籾殻を収集するうえで十分な高さを確保できるとともに、サイクロン２を構成する円錐筒体４の排風送込口６、すなわち排風導入位置と選別装置または籾摺機の排風口の高さが、図５に示すようにほぼつり合うので、その両者間の接続が容易であり、しかも、その部分の流通抵抗を小さくしてサイクロン２における籾殻などの分離能力を高く保持することができる。
【００１６】
また、前記のようにスクリューコンベア３の高さを十分高くすることができるので、下方に傾斜する籾殻排出樋１０の排出口１１の高さを作業者Ａが作業をしやすい位置とすることができる（図５参照）。
【００１７】
図示の実施の形態においては、サイクロン２を構成する円錐筒体４内の無風空間を貫通させて設けるスクリューコンベア３は、そのスクリュー８の回転軸心がサイクロン２を構成する円錐筒体４の軸心と一致しており、しかも、スクリューコンベア３はそのスクリュー８の回転軸心を中心として円錐筒体に対する取付角が所要角度ないし３６０度変更自在の構成となっている。このため、スクリューコンベア３に接続した籾殻排出樋１０の方向を、サイクロン２を構成する円錐筒体４の端を軸心として水平方向に所要角度ないし３６０度変更することができるので、籾摺機１７（図５参照）や籾殻回収装置１の配置上、籾殻収集位置を最も都合のよい態様とすることができる。籾摺機１７は選別装置を備えたものであって、１８はその排塵口である。
【００１８】
本発明に係る籾殻排出装置１においては、サイクロン２を構成する円錐筒体４内の下端部に、スクリューコンベア３のスクリュー８が露出し、かつそのスクリュー８が円錐筒体４の下端に達しているので、サイクロン２を構成する円錐筒体４内で分離された籾殻などはスクリューコンベア３によって滞り無く排出される。このため、サイクロン２を構成する円錐筒体４の容量比に対する籾殻などの分離能力が高くなるので、サイクロン２を一層コンパクト化できる。
【００１９】
【発明の効果】
本発明によれば、サイクロンを構成する円錐筒体内のデッドスペースを有効に活用すべく、スクリューコンベアを、サイクロンを構成する円錐筒体内の下部からその軸心に沿って形成される無風空間を貫通させて設けることにより、装置全体をサイクロンを中心にまとまったコンパクトな構成とすることができるうえ、スクリューコンベアがサイクロンを構成する円錐筒体の上端を貫通するところから、スクリューコンベアの排出側を収集袋に籾殻を収集するうえで十分な高さに確保することができ、加えてサイクロンの排風導入位置を選別装置または籾摺機の排風口の高さとつり合うようにしてその両者間の接続を容易にするとともに、その部分の流通抵抗を小さくしてサイクロンにおける籾殻などの分離能力を高く保持することができる籾殻回収装置を提供することができる。
【００２０】
そして、本発明の請求項３に係る構成とすることにより、スクリューコンベアに接続した籾殻排出樋の方向を、サイクロンを構成する円錐筒体に対して水平方向に３６０度変更することができるので、籾摺機や籾殻回収装置の配置上、籾殻収集位置を最も都合のよい態様とすることができる。
【図面の簡単な説明】
【図１】本発明に係る籾殻回収装置の一実施の形態を示す全体の縦断面図である。
【図２】図１における一部の水平断面図である。
【図３】本発明に係る籾殻回収装置の一実施の形態を示す全体の斜視図である。
【図４】本発明に係る籾殻回収装置における籾殻収集態様を示す一部の縦断面図である。
【図５】本発明に係る籾殻回収装置の使用態様を示す縦断面図である。
【符号の説明】
１  籾殻回収装置
２  サイクロン
３  スクリューコンベア
４  円錐筒体
５  旋回部
６  排風導入口
７  排風口
８  スクリュー
９  籾殻排出口
１０  籾殻排出樋
１１，１１  ２つの排出口
１２  収集袋
１３  袋止め
１４  シャッタ
１５  電動機
１６  設置面
１７  籾摺機
１８  排塵口
Ａ  作業者
【図１】
0003698392.tif 000002
【図２】
0003698392.tif 000003
【図３】
0003698392.tif 000004
【図４】
0003698392.tif 000005
【図５】
0003698392.tif 000006